(57)【要約】【解決手段】起立状態から倒伏状態へと往動することができる背板１２と、起立状態から倒伏状態へと往動することができるとともに上記背板１２に対して迫り上がるように往動することができる腰板２１と、脚受け３２ａ、３２ｂとを少なくとも備え、上記脚受け３２ａ、３２ｂは、上記腰板２１の上記倒伏状態への往動と上記迫り上がりのための往動とにそれぞれ連動して上記腰板２１と一体的に往動することができる。【効果】背板１２の倒伏状態において患者の頭部側を下げずに腰のみを迫り上がらせることができるので、患者に恐怖感を与えずに診察を行うことができ、また、患者の腰などを微調整のために何回も移動させなくても、患者に比較的容易に最適な診察体位をとらせることができる。【選択図】　　　図７
2004113301.tif 000002
【特許請求の範囲】
【請求項１】
患者の背を支えることができる背板と、患者の腰を支えることができる腰板と、患者の脚を支えることができる脚受けとを少なくとも備え、
上記背板は、起立状態から倒伏状態へと往動することができ、
上記腰板は、起立状態から倒伏状態へと往動することができるとともに、上記背板に対して迫り上がるように往動することができ、
上記脚受けは、上記腰板の上記倒伏状態への往動と上記迫り上がりのための往動とにそれぞれ連動して上記腰板と一体的に往動することができるように構成されている医療台。
【請求項２】
患者の手を支えることができる手受けをさらに備え、
上記手受けは、上記腰板の上記倒伏状態への往動と上記迫り上がりのための往動とにそれぞれ連動して上記腰板と一体的に往動することができるように構成されている請求項１に記載の医療台。
【請求項３】
上記背板および上記腰板は、互いに一体的になって起立状態から倒伏状態へと往回動することができ、
上記背板および上記腰板の上記往回動の支点は、上記起立状態にある上記腰板の上下方向における真中の高さ位置から上記起立状態にある上記背板の上下方向における下端から上方へ向って１／８の高さ位置までの間の高さ位置に配設されている請求項１または２に記載の医療台。
【請求項４】
上記医療台が婦人科用検診台である請求項１、２または３に記載の医療台。
【発明の詳細な説明】
【０００１】
【発明の属する技術分野】
本発明は、患者の背を支えることができる背板と、患者の脚を支えることができる股受け、踵受けなどの脚受けとを備え、上記背板が、起立状態から倒伏状態へと往動することができる婦人科用などの検診台、分娩台などの医療台に関するものである。
【０００２】
【従来の技術】
上述のような医療台として、例えば、実開平５−５１３３３号公報に記載されているものが知られている。
【０００３】
この実開平５−５１３３３号公報に記載されている医療台（以下、「上記従来の医療台」という）は、基台上に設けられた昇降機構上に取付けられた可動フレームを備えている。そして、上記従来の医療台においては、背板が上記可動フレームに支軸によって回転可能に軸支されている。なお、この支軸は、背板が起立した状態におけるこの背板の下端またはこの下端に隣接した位置に配設されている。また、患者の臀を支えることができる座板が背板に隣接するように配置されている。さらに、上記可動フレームには、左右一対の股受けを支持する左右一対のアーム機構が取付けられている。そして、これらのアーム機構には、左右一対の踵受けを支持する左右一対の補助アームも設けられている。
【０００４】
上記従来の医療台を使用する際には、まず、昇降機構が可動フレームを最下方位置に保持しかつ背板が起立した状態において、患者は医療台に着座する。具体的には、患者は、左右一対の股受けおよび左右一対の踵受けの間から座板および背板に近づいて、背を背板に預けるようにして座板上に深く座る。そして、患者は、左右の脚を左右の股受けにかつ左右の踵を左右の踵受けにそれぞれ載せる。
【０００５】
ついで、医師または看護師は、患者の膣の診療を目的として、操作ボタンなどを操作することにより医療台を作動させる。具体的には、昇降機構を駆動させて座板、背板、股受けおよび踵受けを所望の高さにするとともに、起立状態にある背板を所望の角度まで倒伏させる。したがって、患者は、背板に背を預けた状態で仰臥状態になる。この場合、股受けおよび踵受けは、背板に連結されて追従するか、あるいは、座板の傾動に連動または固定される。
【０００６】
【発明が解決しようとする課題】
しかし、上記従来の医療台の場合には、患者が背板に背を預けた状態で仰臥状態になっても、患者の腰が背板の下方部分に載ったままである。このために、患者の診察部位の最前端である膣口は、医師から座板を介した比較的離れた位置のままであり、また、患者の腰と背とが背板上でほぼ直線状に並んでいる。
【０００７】
したがって、上記従来の医療台の場合には、医師や看護師は、医師による診察を容易にならしめるために、患者の腰を持ち上げて患者の膣口が座板の前端付近に位置するように前方に移動させる必要があった。また、患者の膣口から子宮口に至る膣の方向は個人差があって千差万別であるから、この膣の方向を診察しやすい方向に変更するために、座板の傾斜角度を調整させる必要があった。
【０００８】
本発明は、上記従来の医療台の上述のような欠点を比較的簡単な構成により効果的に是正し得るようにしたものである。
【０００９】
【課題を解決するための手段】
本発明は、患者の背を支えることができる背板と、患者の腰を支えることができる腰板と、患者の脚（すなわち、大腿部、膝、ふくら脛、踵などの少なくとも一ヶ所）を支えることができる股受け、ふくら脛受け、踵受けなどの脚受けとを少なくとも備え、上記背板が、起立状態から倒伏状態へと往動することができ、上記腰板が、起立状態から倒伏状態へと往動することができるとともに、背板に対して迫り上がるように往動することができ、上記脚受けが、上記腰板の上記倒伏状態への往動と上記迫り上がりのための往動とにそれぞれ連動して上記腰板と一体的に往動することができるように構成されている医療台に係るものである。この場合、上記医療台は、患者の臀を支えることができる座板を備えることができる。また、脚受けは、閉じ状態から開き状態に往動し得るのが好ましい。
【００１０】
なお、本発明による医療台は、患者の手（肘、上腕、前腕、手首、手の平（掌）などの少なくとも一ヶ所）を支えることができる肘受け、上腕受け、前腕受け、手首受け、握り部などの手受けをさらに備え、上記手受けが、上記腰板の上記倒伏状態への往動と、上記迫り上がりのための往動とにそれぞれ連動して上記腰板と一体的に往動するように構成されることができる。また、本発明による医療台は、上記背板および上記腰板が、互いに一体的になって起立状態から倒伏状態へと往回動することができ、上記背板および上記腰板の上記往回動の支点が、上記起立状態にある上記腰板の上下方向における真中の高さ位置（さらに好ましくは、下端から上方へ向って３／４の高さ位置）から上記起立状態にある上記背板の上下方向における下端から上方へ向って１／８の高さ位置（さらに好ましくは、１／１６の高さ位置）までの間の高さ位置に配設されることができる。
【００１１】
さらに、上記医療台は、婦人科用検診台であってよい。
【００１２】
【発明の実施の形態】
つぎに、本発明を婦人科用検診台（以下、単に「検診台」という）に適用した一実施例を、「（１）検診台の構成」および「（２）検診台の作用」に項分けして、図面を参照しつつ説明する。
【００１３】
（１）検診台の構成
検診台１は、図１〜図３などに示すように、婦人科の診療室の床面上などに設置される基台２を備えている。なお、この基台２は、図示の場合には、図示を簡略化するために、上記床面上などにほぼ水平に配置される水平基板部３と、この基板部３上に一体的に立設された左右一対の垂直基板部４ａ、４ｂから成っているが、実際には、左右一対の垂直基板部４ａ、４ｂの上半部分と水平基板部３との間に従来から周知の昇降機構（図示せず）が配設されている。そして、この昇降機構によって垂直基板部４ａ、４ｂの上半部分の上下方向における高さ位置を必要に応じて任意に調節し得るようになっている。
【００１４】
図３、図４などに示すように、左右一対の垂直基板部４ａ、４ｂの例えば上端部には、支持板部５がそれぞれ一体的に突設されている。そして、これらの支持板部５には、ほぼはしご形状の背板フレーム６と、ほぼＬ字形状の左右一対の支持アーム７ａ、７ｂとがそれぞれ回動可能に取付けられている。具体的には、これらの取付けのために、背板フレーム６に左右一対の被取付け耳部８が設けられている。そして、これらの被取付け耳部８と支持アーム７ａ、７ｂの基端部とが軸９によって左右一対の支持板部５にそれぞれ取付けられている。この場合、軸９は、左右一対の支持板部５にそれぞれ個別に支持されている左右一対の短軸から成っていてもよいし、あるいは、左右一対の支持板部５にそれらの両端部をそれぞれ支持されている一本の長軸から成っていてもよい。
【００１５】
図３、図４などに示すように、左右一対の支持アーム７ａ、７ｂは、背板１２が起立した初期状態（以下、「背板起立状態」という）においてほぼ垂直に延びる第１のアーム部１８とこれら第１のアーム部１８に一体的に連設されて背板起立状態においてほぼ水平に延びる第２のアーム部１９とから成っていてよい。そして、左右一対の支持アーム７ａ、７ｂは、左右一対の第１のアーム部１８の自由端側において軸９によって支持板部５にそれぞれ回動可能に取付けられ、また、左右一対の第２のアーム部１９の自由端側においてほぼ直方体形状の座板本体１１が取付け支持されていてよい。
【００１６】
背板フレーム６の前面側には、図３などに示すように、背板１２が取付け固定されている。また、背板フレーム６には、図９に示すように、ほぼ長方形状の腰板フレーム１４が回動可能に取付けられている。具体的には、背板フレーム６に左右一対の取付け耳部１５ａ、１５ｂがそれぞれ一体的に設けられている。また、腰板フレーム１４に左右一対の被取付け耳部１６ａ、１６ｂがそれぞれ一体的に設けられている。そして、軸１７がこれらの取付け耳部１５ａ、１５ｂおよび被取付け耳部１６ａ、１６ｂにそれぞれ挿通されている。したがって、腰板フレーム１４は、背板フレーム６に対して軸１７を支点として往復回動することができる。なお、背板フレーム６の背面側にはカバー板部が設けられているので、この背板フレーム６はほぼ箱蓋形状になっている。
【００１７】
図３、図４などに示す腰板フレーム１４の前面側には、腰板（すなわち、ランバーサポート）２１が取付け固定されている。なお、この腰板２１は、背板起立状態においては、図３に示すように、背板１２のほぼ下方に隣接してこの背板１２に対してほぼ一直線上に配置され得るように構成されている。
【００１８】
腰板フレーム１４の左右両側面には、左右一対の支持アーム２０ａ、２０ｂをそれぞれ介して左右一対の肘受け１３ａ、１３ｂが取付け固定されている。なお、これら左右一対の肘受け１３ａ、１３ｂは、背板起立状態において図１〜図３に示すように背板１２の左右両側の下端附近（換言すれば、腰板２１の左右両側の上端附近）に位置するように、腰板フレーム１４にそれぞれ取付け固定されていてよい。また、これらの肘受け１３ａ、１３ｂは、腰板フレーム１４（換言すれば、腰板２１）と一体的に往復回動し得るだけでなく、必要に応じて腰板フレーム１４と別個に単独で往復回動し得るように、腰板フレーム１４にそれぞれ回動可能に取付けられることができる。具体的には、左右一対の支持アーム２０ａ、２０ｂにそれぞれロック機構（図示せず）を設け、これらのロック機構をロック解除したときに、肘受け１３ａ、１３ｂが腰板フレーム１４とは個別に単独で往回動し得るように構成することができる。なお、左右一対の支持アーム２０ａ、２０ｂが腰板フレーム１４側から背板フレーム６を跨いで肘受け１３ａ、１３ｂ側に延びるようにするために、図９に示すように背板フレーム６に左右一対の凹部３５ａ、３５ｂを設けてもいし、また、少なくとも支持アーム２０ａ、２０ｂの取付け位置において腰板フレーム１４を背板フレーム６よりも厚さ方向において突出させてもよいし、さらに、支持アーム２０ａ、２０ｂをそれぞれＵ字形状に構成してもよい。
【００１９】
腰板フレーム１４には、図９に示すように、回転駆動源としての一対の駆動用電動モータ２２ａ、２２ｂ、一対の減速歯車機構２３ａ、２３ｂ、一対のウォームギヤ２４ａ、２４ｂ、一対のウォーム付き回転軸２５ａ、２５ｂおよび一対の軸受２６ａ、２６ｂから成る股受け作動機構２７が設置されている。なお、ウォーム付き回転軸２５ａ、２５ｂの一端部は、背板起立状態における腰板フレーム１４の下端面から外方にそれぞれ突出している。そして、これらの突出部分には、左右一対の支持アーム２８ａ、２８ｂの基端部がそれぞれ一体的に連結されている。なお、これらの支持アーム２８ａ、２８ｂは、ほぼ円板形状の連結部２９と、これらの連結部２９からほぼ円弧形状（例えば、ほぼ１／４円形状）にかつ背板起立状態においてほぼ垂直面に沿って延びる第１のアーム部３０と、これら第１のアーム部３０から背板起立状態においてほぼ水平方向へ延びる第２のアーム部３１とから成っていてよい。そして、左右一対の第２のアーム部３１に左右一対の座板補助体兼用の股受け３２ａ、３２ｂがそれぞれ取付け固定されていてよい。
【００２０】
したがって、図９に示す駆動用電動モータ２２ａ、２２ｂの回転は、減速歯車機構２３ａ、２３ｂおよびその出力軸３３ａ、３３ｂと、ウォームギヤ２４ａ、２４ｂと、これらのウォームギヤ２４ａ、２４ｂが噛っているウォーム部分を有するウォーム付き回転軸２５ａ、２５ｂとを介して支持アーム２８ａ、２８ｂにそれぞれ伝達される。このために、これらの支持アーム２８ａ、２８ｂは、これらの回転軸２５ａ、２５ｂを支点として駆動用電動モータ２２ａ、２２ｂの回転方向に応じた所定の回動方向にそれぞれ回動するので、座板補助体兼用の股受け３２ａ、３２ｂも、回転軸２５ａ、２５ｂを支点として所定の回動方向にそれぞれ回動する。なお、一対の駆動用電動モータ２２ａ、２２ｂは、通常は、左右一対の股受け３２ａ、３２ｂの回動方向が互いに逆（すなわち、左右対称的）になるようにそれぞれ回転する。
【００２１】
左右一対の座板補助体兼用の股受け３２ａ、３２ｂは、背板起立状態において上方から見てほぼＬ字形状およびほぼ逆Ｌ字形状で比較的大きな厚みを有するようにそれぞれ構成されている。そして、背板起立状態においては、股受け３２ａは、座板本体１１の左側面と前面の左半分とにそれぞれ隣接し、また、股受け３２ｂは、座板本体１１の右側面と前面の右半分とにそれぞれ隣接している。このために、座板本体１１と左右一対の股受け３２ａ、３２ｂとによって全体としてほぼ直方体形状の座板３４が構成されている。
【００２２】
背板フレーム６には、図２、図３などに示すように、背板起立状態における上下一対の取付け耳部４１、４２がそれぞれ設けられている。そして、上側の取付け耳部４１には、シリンダ機構４３の一端部（背板起立状態における上端部）が連結され、また、下側の取付け耳部４２には、シリンダ機構４４の一端部（背板起立状態における上端部）が連結されている。なお、直線往復駆動源（換言すれば、伸縮駆動源）としてのこれらのシリンダ機構４３、４４は、電動モータ（図示せず）の往復回転を歯車機構（図示せず）によって直線往復動に変換するねじジャッキ式またはラックジャッキ式のもの、油圧シリンダ、エアシリンダなどの気体圧シリンダ、プランジャ・ソレノイドなどの任意のシリンダ機構であってよい。
【００２３】
シリンダ機構４３の他端部（背板起立状態における下端部）には、図３、図９などに示すように、腰板作動用部材としての左右一対の作動杆４５ａ、４５ｂの一端部（背板起立状態における上端部）が連結されている。そして、これらの作動杆４５ａ、４５ｂの他端部は、作動端部として機能するために、腰板フレーム１４の背板起立状態における上端面に連結（例えば、溶接などにより固定）されている。なお、作動杆４５ａ、４５ｂは、図９に示すように、軸１７の背板起立状態における背面側を延びている。したがって、作動杆４５ａ、４５ｂが図９における上方から下方に向って往動して腰板フレーム１４を押圧すると、この腰板フレーム１４は、軸１７を支点として図３の時計方向に往回動する。また、シリンダ機構４４の他端部（背板起立状態における下端部）は、左右一対の垂直基板部４ａ、４ｂを連結している連絡部材（図示せず）に突設された取付け耳部４６に連結されている。
【００２４】
（２）検診台の作用
つぎに、上述のように構成された本発明による検診台１の作用を図面を参照しつつ説明する。
【００２５】
図１〜図９に示す検診台を使用する際には、予め、従来から周知のように昇降機構（図示せず）が可動フレームとしての左右一対の垂直基板部４ａ、４ｂの上半部分を最下方位置に保持しかつ背板１２が起立した初期状態にしておく。この場合、腰板２１も背板１２と同様に起立した状態でこの背板１２の下方に隣接しかつ背板１２とほぼ直線状に並んでいる。また、座板本体１１は、その後端付近が腰板２１の下端付近に隣接しかつこの腰板２１とほぼ直交した状態（換言すれば、ほぼ水平状態）になっている。さらに、左右一対の座板補助体兼用の股受け３２ａ、３２ｂは、既述のように、座板本体１１とともにほぼ直方体形状の座板３４を構成している。
【００２６】
ついで、患者は、その腰および背を腰板２１および背板１２にそれぞれ預けるようにして座板３４上に深く座る。この場合、患者は、左右の脚（具体的には、大腿部および／または膝）を左右の股受け３２ａ、３２ｂにそれぞれ載せておく。
【００２７】
ついで、医者または看護師は、患者の診察を目的として、操作ボタンなどの操作手段（図示せず）を操作することにより検診台１を作動させる。
【００２８】
具体的には、まず、図２および図３に示すシリンダ機構４４を短縮する方向に作動させることによって、図１〜図３に示すように起立状態にある背板１２および腰板２１を図４および図５に示すように所望の角度（例えば、ほぼ水平状態）まで倒伏させる。なお、シリンダ機構４４が短縮する方向に往動すると、背板フレーム６の取付け耳部４２は、シリンダ機構４４によって取付け耳部４６に向って牽引されるので、軸９を支点として図３の時計方向に往回動する。このために、背板フレーム６（ひいては、背板１２）も、軸９を支点として同様に往回動する。また、腰板２１、座板補助体兼用の股受け３２ａ、３２ｂおよび肘受け１３ａ、１３ｂも、背板フレーム６（ひいては、背板１２）と同様に、軸９を支点として往回動する。しかし、支持アーム７ａ、７ｂ（ひいては、座板本体１１）は、往回動することなく、元の位置（すなわち、初期位置）に取り残される。
【００２９】
上述のように、背板１２、腰板２１、股受け３２ａ、３２ｂおよび肘受け１３ａ、１３ｂが互いに一体的に往回動するときの往回動の支点である軸９は、背板起立状態にある腰板２１の上下方向における下端から上方へ向って約９／１０の高さ位置（換言すれば、腰板２１の上端から下方へ向って約１／１０の高さ位置）にある。このために、背板１２および腰板２１の上記往回動によって、腰板２１は、背板１２と一体的になって往回動しつつ前方へ迫り出してくる。
【００３０】
したがって、患者は、腰板２１および背板１２に腰および背を預けた状態で仰臥状態になるとともに、腰板２１の前方への迫り出しにともなって腰を前方へ迫り出すことになる。また、患者の脚は、左右一対の股受け３２ａ、３２ｂの上述の往回動にともなって上方に持ち上げられる。
【００３１】
ついで、図９に示す一対の駆動用電動モータ２２ａ、２２ｂを往回動させることによって、左右一対の股受け３２ａ、３２ｂを図４および図５に示す復動状態（すなわち、閉じ状態）から図６に示す往動状態（すなわち、開き状態）へと往回動させる。なお、一対の駆動用電動モータ２２ａ、２２ｂが往回動すると、左右一対の支持アーム２８ａ、２８ｂ（ひいては、左右一対の股受け３２ａ、３２ｂ）が既述のように回転軸２５ａ、２５ｂを支点として往回動して左右両側に開いた状態になるので、患者の左右の脚は左右両側に開かれる。
【００３２】
ついで、図２および図５に示すシリンダ機構４３を伸長する方向に往動させることによって、図６に示す状態にある腰板２１を図７および図８に示すように背板１２に対して持ち上がる方向に往回動させる。なお、シリンダ機構４３を上述のように伸長する方向に往動させると、左右一対の作動杆４５ａ、４５ｂが腰板フレーム１４の図９における上端面（図９における軸１７よりも背面側）を押圧する。このために、腰板フレーム１４（ひいては、腰板２１）は軸１７を支点として図８の時計方向に往回動するので、腰板２１は、図６に示すほぼ水平な状態において、背板１２に対して前端側から上方に持ち上がるように往回動する。したがって、患者は、背に対して腰を迫り上がらせることになる。
【００３３】
また、腰板フレーム１４が上述のように往回動すると、図９に示すようにこの腰板フレーム１４に回転軸２５ａ、２５ｂを介して連結されている左右一対の支持アーム２８ａ、２８ｂ（ひいては、左右一対の股受け３２ａ、３２ｂ）や、この腰板フレーム１４に支持アーム２０ａ、２０ｂを介して連結されている左右一対の肘受け１３ａ、１３ｂも、同様に軸１７を支点として往回動する。このために、左右一対の股受け３２ａ、３２ｂおよび左右一対の肘受け１３ａ、１３ｂは腰板２１と実質的に一体的に往回動するから、患者は、腰の位置に対する左右の脚および左右の肘の相対的な位置をほとんど変えられることなく、腰と左右の脚と左右の肘とを同時に持ち上げられる。
【００３４】
上述のとおりであるから、本発明による図示の検診台１によれば、
【００３５】
（ａ）背板１２の倒伏状態においてこの背板１２に対して腰板２１を迫り上がりのために往回動させ得るようにしたので、患者の頭部側を下げずに腰のみを迫り上がらせることができ、このために、患者に恐怖感を与えずに診察を行うことができるとともに、患者の診察部位の最前端である膣口に医師が近づき易くて医師による診察が容易である。
【００３６】
（ｂ）腰板２１を背板１２と一体的に往回動させるときや、腰板２１を背板１２に対して迫り上がらせるときに、股受け３２ａ、３２ｂおよび肘受け１３ａ、１３ｂも腰板２１と一体的に往回動するようにしたので、患者に恐怖感を与えることが一層少なくなり、また、患者の腰などを微調整のために何回も移動させなくても、患者に容易に最適な診察体位をとらせることができる。
【００３７】
（ｃ）患者の診察部位の最前端である膣口が背板と一体的になった腰板の前方および上方への迫り出しによって医師から比較的近い位置まで前方および上方へ迫り出してくるから、医師による診察がさらに容易であり、このために、医師や看護師が検診台１上で患者の腰などを大幅に移動させる必要がなくて、労働負荷の軽減を図ることができる。
という効果を奏する。
【００３８】
以上において、本発明の一実施例につき詳細に説明したが、本発明は、
【００３９】
この実施例に限定されるものではなく、特許請求の範囲に記載された発明の趣旨に基づいて各種の変更および修正が可能である。
【００４０】
例えば、上述の実施例においては、本発明を検診台１に適用したが、本発明は分娩台などの他の医療台にも適用することができる。
【００４１】
また、上述の実施例においては、左右一対の脚受けを左右一対の股受け３２ａ、３２ｂのみから構成したが、上記従来の医療台の場合と同様に、左右一対の股受け３２ａ、３２ｂに左右一対の補助アームを介して左右一対の踵受けをそれぞれ設けてもよく、また、左右一対の股受け３２ａ、３２ｂに代えて左右一対の踵受けだけをそれぞれ設けてもよい。
【００４２】
また、上述の実施例においては、座板３４を座板本体１１と左右一対の座板補助体兼用の脚受け３２ａ、３２ｂとから構成したが、脚受け３２ａ、３２ｂに座板補助体を兼用させることなく、座板本体１１を一回り大きくして単一の座板としてもよい。さらに、脚受け３２ａ、３２ｂに座板補助体を兼用させない場合には、必要に応じて、座板３４を省略することも可能である。この場合には、背板１２と腰板２１と股受けなどの脚受け３２ａ、３２ｂとによって患者を支えるようにすればよく、場合によっては、予め（すなわち、初期状態において）、腰板２１や背板１２を図１〜図３に示す背板起立状態よりも倒伏状態に向う方向へ多少傾斜させておくことができる。
【００４３】
また、上述の実施例においては、背板１２および腰板２１（ひいては、脚受け３２ａ、３２ｂおよび手受け１３ａ、１３ｂ）を起立状態から倒伏状態に往回動させるようにしたが、往回動以外の他の往動動作（例えば、カムとカム溝とを用いた倣い動作）を行わせるようにしてもよい。
【００４４】
また、上述の実施例においては、腰板２１（ひいては、脚受け３２ａ、３２ｂおよび手受け１３ａ、１３ｂ）を背板１２に対して迫り上がるように往回動させるようにしたが、往回動以外の他の往動動作（例えば、カムとカム溝を用いた倣い動作や、直線往動動作）を行わせるようにしてもよい。
【００４５】
また、上述の実施例においては、背板１２および腰板２１（ひいては、脚受け３２ａ、３２ｂおよび手受け１３ａ、１３ｂ）が起立状態から倒伏状態へと往動した後に、腰板２１が背板１２に対して迫り上がりのために往動するようにしたが、上記迫り上がりのための往動が上記倒伏状態への往動の過程またはそれ以前に行われるようにしてもよい。
【００４６】
また、上述の実施例においては、背板１２および腰板２１（ひいては、脚受け３２ａ、３２ｂおよび手受け１３ａ、１３ｂ）が起立状態から倒伏状態へと往動した後でかつ腰板２１が背板１２に対して迫り上がりのために往動する前に、脚受け３２ａ、３２ｂが閉じ状態から開き状態に往動するようにしたが、上記開き状態への往動が上記倒伏状態への往動の過程またはそれ以後や上記迫り上がりのための往動の過程または以前に行われるようにしてもよい。
【００４７】
また、上述の実施例においては、腰板２１が背板１２に対して迫り上がりのために往動したときに、背板１２に表面（患者の背が接する面）と腰板２１の表面（患者の腰が接する面）とが互いに成す角度が１８０°よりも小さくなるようにしたが、これに加えて、上記角度が１８０°よりも大きくなる逆の方向にも腰板２１が背板１２に対して往動し得るようにしてもよい。
【００４８】
【発明の効果】
本発明によれば、背板の倒伏状態においてこの背板に対して腰板を迫り上がりのために往動させ得るようにしたので、患者の頭部側を下げずに腰のみを迫り上がらせることができ、このために、患者に恐怖感を与えずに診察を行うことができるとともに、患者の診察部位の最前端に医師が近づき易くて医師による診察が容易である。また、腰板を背板と一体的に往動させるときや、腰板を背板に対して迫り上がらせるときに、脚受けも腰板と一体的に往動するようにしたので、患者に恐怖感を与えることがさらに少なくなり、また、患者の腰などを微調整のために何回も移動させなくても、患者に容易に最適な診察体位をとらせることができる。
【００４９】
また、請求項２に記載の発明によれば、腰板を背板と一体的に往回動させるときや、腰板を背板に対して迫り上がらせるときに、脚受けのみならず手受けも腰板と一体的に往動するようにしたので、患者に恐怖感を与えることが一層少なくなる。
【００５０】
さらに、請求項３に記載の発明によれば、患者の診察部位の最前端が背板と一体的になった腰板の前方および上方への迫り出しによって医師から比較的近い位置まで前方および上方へ迫り出してくるから、医師による診察がさらに容易であり、このために、医師や看護師が医療台上で患者の腰などを大幅に移動させる必要がなくて、労働負荷の軽減を図ることができる。
【図面の簡単な説明】
【図１】本発明を検診台に適用した一実施例おける検診台の背板起立状態での斜視図である。
【図２】図１の検診台の図１と同じ状態での正面図である。
【図３】図１の検診台の図１と同じ状態での右側面図である。
【図４】図１の検診台の背板倒伏状態での斜視図である。
【図５】図４の検診台の図４と同じ状態での右側面図である。
【図６】図４の検診台の股受け開き状態での斜視図である。
【図７】図６の検診台のと腰板迫り上がり状態での斜視図である。
【図８】図７の検診台の図７と同じ状態での右側面図である。
【図９】図２の検診台の股受け作動機構附近を示す拡大正面図である。
【符号の説明】
１　　　　　　　　検診台（医療台）
１１　　　　　　　座板本体
１２　　　　　　　背板
１３ａ　　　　　　肘受け（手受け）
１３ｂ　　　　　　肘受け（手受け）
２１　　　　　　　腰板
３２ａ　　　　　　座板補助体兼用の股受け（脚受け）
３２ｂ　　　　　　座板補助体兼用の股受け（脚受け）
３４　　　　　　　座板
【図１】
2004113301.tif 000003
【図２】
2004113301.tif 000004
【図３】
2004113301.tif 000005
【図４】
2004113301.tif 000006
【図５】
2004113301.tif 000007
【図６】
2004113301.tif 000008
【図７】
2004113301.tif 000009
【図８】
2004113301.tif 000010
【図９】
2004113301.tif 000011